(57)【要約】【課題】  非接触式メモリの読み取りエラーを防ぐことで作業効率の向上を図るとともに、無駄な電池消費を防ぐことが可能な電気錠システムを提供すること。【解決手段】  電池パック２０は、電池２１と、非接触式メモリ２３と、を備え、電気錠３０は、電気錠３０の制御部３１に接続されたリードライト用アンテナコイル３３を備え、電池パック２０が電気錠３０に装着、位置決めされることで、リードライト用アンテナコイル３３の近傍に、非接触式メモリ２３のメモリ側アンテナコイル２３ｂが、リードライト用アンテナコイル３３の巻き方向に平行な仮想面と、メモリ側アンテナコイル２３ｂの巻き方向に平行な仮想面と、が略平行に対向する位置に位置するとともに、制御部３１は電池２１に接続され、電源供給を受け、リードライト用アンテナコイル３３と、メモリ側アンテナコイル２３ｂとを介して、非接触式メモリ２３との間で情報の読み書きを行うこと、を特徴とする。【選択図】図１
2020101016.tif 000002
【特許請求の範囲】
【請求項１】
電子キーと、前記電子キーに記憶される権限情報の読み取りおよび認証を行うことで施錠または解錠を行う制御部を備える電気錠と、からなる電気錠システムにおいて、
前記電子キーは、電池と、メモリ側アンテナコイルを備えた非接触式メモリと、を備えること、
前記電気錠は、前記電子キーを装着する装着孔と、前記制御部に接続されたリードライト用アンテナコイルと、を備えること、
前記電子キーは、前記装着孔に装着されることで、前記電気錠に位置決めされ、前記メモリ側アンテナコイルは、前記リードライト用アンテナコイルの近傍に、前記リードライト用アンテナコイルの巻き方向に平行な仮想面と、前記メモリ側アンテナコイルの巻き方向に平行な仮想面と、が略平行に対向する位置に位置されるとともに、前記制御部は前記電池に接続され、電源供給を受けること、
前記電池から電源供給を受けた前記制御部が、前記リードライト用アンテナコイルと、前記メモリ側アンテナコイルと、を介して、前記非接触式メモリとの間で情報の読み書きを行うこと、
を特徴とする電気錠システム。
【請求項２】
電子キーと、前記電子キーに記憶される権限情報の読み取りおよび認証を行うことで施錠または解錠を行う制御部を備える電気錠と、からなる電気錠システムにおいて、
前記電子キーは、電池と、メモリ側アンテナコイルを備えた非接触式メモリと、リードライト用アンテナコイルと、を備えること、
前記メモリ側アンテナコイルは、前記リードライト用アンテナコイルの近傍に、前記リードライト用アンテナコイルの巻き方向に平行な仮想面と、前記メモリ側アンテナコイルの巻き方向に平行な仮想面と、が略平行に対向する位置に位置していること、
前記電気錠は、前記電子キーを装着する装着孔を備えること、
前記電子キーは、前記装着孔に装着されることで、前記電気錠に位置決めされ、前記リードライト用アンテナコイルと、前記制御部が接続されるとともに、前記制御部は前記電池に接続され、前記電池は直流電流により前記制御部に電源供給すること、
前記電池から電源供給を受けた前記制御部が、前記リードライト用アンテナコイルと、前記メモリ側アンテナコイルと、を介して、前記非接触式メモリとの間で、高周波信号によって情報の読み書きを行うこと、
前記高周波信号は、前記電子キーと、前記電気錠と、の間において、前記直流電流に重畳され、双方に供給されること、
を特徴とする電気錠システム。
【請求項３】
請求項１または２に記載の電気錠システムにおいて、
前記電気錠は、前記電子キーを、前記電気錠に位置決めされた状態で固定する固定手段を備えること、
を特徴とする電気錠システム。
【請求項４】
請求項３に記載の電気錠システムにおいて、
前記非接触式メモリは、前記権限情報を記憶すること、
前記電気錠は、前記電気錠の制御を行うための制御信号を前記制御部に入力する入力手段を備えること、
前記制御部は、
前記電子キーが前記電気錠に装着され、前記電池から電源供給を受けることで、前記リードライト用アンテナコイルと、前記メモリ側アンテナコイルと、を介して、前記非接触式メモリから前記権限情報を読み取り、認証を行い、前記電気錠を所定の状態にするとともに、前記固定手段により前記電子キーの固定を行う電気錠利用開始プログラムと、
前記電子キーが前記電気錠に装着されている場合であって、前記入力手段により前記制御部に前記制御信号が入力された場合に、前記リードライト用アンテナコイルと、前記メモリ側アンテナコイルと、を介して、前記非接触式メモリから前記権限情報を読み取り、認証を行い、前記電気錠を、前記所定の状態から利用開始前の状態に復元するとともに、前記固定手段による前記電子キーの固定を解除する電気錠利用停止プログラムと、
を有すること、
を特徴とする電気錠システム。
【請求項５】
請求項１乃至４のいずれか１つに記載の電気錠システムにおいて、
前記電気錠は、自己の位置情報を取得する位置情報取得手段を備えること、
前記制御部は、所定の時間毎に、前記位置情報取得手段により取得した前記位置情報を、前記リードライト用アンテナコイルと、前記メモリ側アンテナコイルと、を介して前記非接触式メモリに書き込むこと、
を特徴とする電気錠システム。
【請求項６】
請求項１乃至５のいずれか１つに記載の電気錠システムにおいて、
前記電気錠は、雰囲気温度を計測可能な温度センサを備えること、
前記制御部は、所定の時間毎に、前記温度センサにより計測した温度情報を、前記リードライト用アンテナコイルと、前記メモリ側アンテナコイルと、を介して前記非接触式メモリに書き込むこと、
を特徴とする電気錠システム。
【請求項７】
請求項１乃至６のいずれか１つに記載の電気錠システムにおいて、
前記電気錠システムは、前記電子キーを装着することで、前記電池を充電可能であるとともに、前記非接触式メモリとの間で情報の読み書きが可能である鍵管理装置を備えること、
を特徴とする電気錠システム。
【発明の詳細な説明】
【技術分野】
【０００１】
本発明は、電子キーと、前記電子キーに記憶される権限情報の読み取りおよび認証を行うことで施錠または解錠を行う制御部を備える電気錠と、からなる電気錠システムに関するものである。
【背景技術】
【０００２】
従来、企業の秘密に関わる書類や、有価性の高い荷物を配達する場合、配達途中で不正に荷物が取り出されることを防ぐために、荷物を配達用ボックスに収納し、配達用ボックスに鍵をかけ、特定の者のみ当該鍵を開けられるようにしておく等、荷物のセキュリティを確保することが行われていた。
配達用ボックスの鍵には、例えば、特許文献１に開示される電子式南京錠が用いられる。当該電子式南京錠は、電子キーを挿し込むことで、電子キーに記憶された権限情報、有効時間情報等の読み取りおよび認証を行うことで、施錠または解錠を行うものであり、施錠および解錠の履歴を残すことが可能なものである。
【先行技術文献】
【特許文献】
【０００３】
【特許文献１】特許第５２９６６５０号公報
【発明の概要】
【発明が解決しようとする課題】
【０００４】
上記のような電子式南京錠は、施錠および解錠を行うために、鍵穴に電子キーを挿し込む必要があるが、非接触式メモリを内蔵する電子キー（例えばカードキー）が多く用いられるようになっている現在においては、電子キーを鍵穴に抜き挿しする行為を迂遠に感じる使用者も多い。
そこで、電子式南京錠に非接触式メモリに記憶された情報の読み取りが可能なアンテナコイルを内蔵させ、当該アンテナコイルに、電子キーに内蔵した非接触式メモリに記憶させた施錠または解錠するための権限情報を読み取らせ、電子式南京錠の施錠または解錠を行うことが考えられる。
しかし、アンテナコイルの磁界は周囲１０ｃｍ程度であるため、その範囲から非接触式メモリが位置ずれをしたり、非接触式メモリをアンテナコイルに瞬間的に近づけるなど、非接触式メモリのアンテナコイル近傍での滞在時間が短かったり、アンテナコイルに対する非接触式メモリの角度が平行でなかったりすると、読み取りにエラーが発生する可能性が高い。すると、再度読み取りをし直さなければならず、作業効率が低下する。また、繰り返し非接触式メモリの読み取りを行うことは、無駄な電力を消費することにもなる。
【０００５】
本発明は、上記問題点を解決するためのものであり、非接触式メモリの読み取りエラーを防ぐことで作業効率の向上を図るとともに、無駄な電池消費を防ぐことが可能な荷物輸送用電気錠システムを提供することを目的とする。
【課題を解決するための手段】
【０００６】
上記課題を解決するために、本発明の鍵管理ボックスは、次のような構成を有している。
（１）電子キーと、電子キーに記憶される権限情報の読み取りおよび認証を行うことで施錠または解錠を行う制御部を備える電気錠と、からなる電気錠システムにおいて、電子キーは、電池と、メモリ側アンテナコイルを備えた非接触式メモリと、を備えること、電気錠は、電子キーを装着する装着孔と、制御部に接続されたリードライト用アンテナコイルと、を備えること、電子キーは、装着孔に装着されることで、電気錠に位置決めされ、メモリ側アンテナコイルは、リードライト用アンテナコイルの近傍に、リードライト用アンテナコイルの巻き方向に平行な仮想面と、メモリ側アンテナコイルの巻き方向に平行な仮想面と、が略平行に対向する位置に位置されるとともに、制御部は電池に接続され、電源供給を受けること、電池から電源供給を受けた制御部が、リードライト用アンテナコイルと、メモリ側アンテナコイルと、を介して、非接触式メモリとの間で情報の読み書きを行うこと、を特徴とする。
【０００７】
（２）電子キーと、電子キーに記憶される権限情報の読み取りおよび認証を行うことで施錠または解錠を行う制御部を備える電気錠と、からなる電気錠システムにおいて、電子キーは、電池と、メモリ側アンテナコイルを備えた非接触式メモリと、リードライト用アンテナコイルと、を備えること、メモリ側アンテナコイルは、リードライト用アンテナコイルの近傍に、リードライト用アンテナコイルの巻き方向に平行な仮想面と、メモリ側アンテナコイルの巻き方向に平行な仮想面と、が略平行に対向する位置に位置していること、電気錠は、電子キーを装着する装着孔を備えること、電子キーは、装着孔に装着されることで、電気錠に位置決めされ、リードライト用アンテナコイルと、制御部が接続されるとともに、制御部は電池に接続され、電池は直流電流により制御部に電源供給すること、電池から電源供給を受けた制御部が、リードライト用アンテナコイルと、メモリ側アンテナコイルと、を介して、非接触式メモリとの間で、高周波信号によって情報の読み書きを行うこと、高周波信号は、電子キーと、電気錠と、の間において、直流電流に重畳され、双方に供給されること、を特徴とする。
【０００８】
（３）（１）または（２）に記載の電気錠システムにおいて、電気錠は、電子キーを、電気錠に位置決めされた状態で固定する固定手段を備えること、を特徴とする。
（４）（３）に記載の電気錠システムにおいて、非接触式メモリは、権限情報を記憶すること、電気錠は、電気錠の制御を行うための制御信号を制御部に入力する入力手段を備えること、制御部は、電子キーが電気錠に装着され、電池から電源供給を受けることで、リードライト用アンテナコイルと、メモリ側アンテナコイルと、を介して、非接触式メモリから権限情報を読み取り、認証を行い、電気錠を所定の状態にするとともに、固定手段により電子キーの固定を行う電気錠利用開始プログラムと、電子キーが電気錠に装着されている場合であって、入力手段により制御部に制御信号が入力された場合に、リードライト用アンテナコイルと、メモリ側アンテナコイルと、を介して、非接触式メモリから権限情報を読み取り、認証を行い、電気錠を、所定の状態から利用開始前の状態に復元するとともに、固定手段による電子キーの固定を解除する電気錠利用停止プログラムと、を有すること、を特徴とする。
【０００９】
（５）（１）乃至（４）のいずれか１つに記載の電気錠システムにおいて、電気錠は、自己の位置情報を取得する位置情報取得手段を備えること、制御部は、所定の時間毎に、位置情報取得手段により取得した位置情報を、リードライト用アンテナコイルと、メモリ側アンテナコイルと、を介して非接触式メモリに書き込むこと、を特徴とする。
（６）（１）乃至（５）のいずれか１つに記載の電気錠システムにおいて、電気錠は、雰囲気温度を計測可能な温度センサを備えること、制御部は、所定の時間毎に、温度センサにより計測した温度情報を、リードライト用アンテナコイルと、メモリ側アンテナコイルと、を介して非接触式メモリに書き込むこと、を特徴とする。
（７）（１）乃至（６）のいずれか１つに記載の電気錠システムにおいて、電気錠システムは、電子キーを装着することで、電池を充電可能であるとともに、非接触式メモリとの間で情報の読み書きが可能である鍵管理装置を備えること、を特徴とする。
【発明の効果】
【００１０】
本発明の鍵管理ボックスは、上記構成を有することにより、次のような作用・効果を有する。
（１）電子キーと、電子キーに記憶される権限情報の読み取りおよび認証を行うことで施錠または解錠を行う制御部を備える電気錠と、からなる電気錠システムにおいて、電子キーは、電池と、メモリ側アンテナコイルを備えた非接触式メモリと、を備えること、電気錠は、電子キーを装着する装着孔と、制御部に接続されたリードライト用アンテナコイルと、を備えること、電子キーは、装着孔に装着されることで、電気錠に位置決めされ、メモリ側アンテナコイルは、リードライト用アンテナコイルの近傍に、リードライト用アンテナコイルの巻き方向に平行な仮想面と、メモリ側アンテナコイルの巻き方向に平行な仮想面と、が略平行に対向する位置に位置されるとともに、制御部は電池に接続され、電源供給を受けること、電池から電源供給を受けた制御部が、リードライト用アンテナコイルと、メモリ側アンテナコイルと、を介して、非接触式メモリとの間で情報の読み書きを行うこと、を特徴とするので、非接触式メモリの読み取りエラーを防ぐことで無駄な電池消費を防止することができる。
【００１１】
すなわち、電子キーが電気錠の装着孔に装着され、位置決めされると、制御部は確実に電池に接続され、電源供給をうけるため、リードライト用アンテナコイルと、メモリ側アンテナコイルと、を介して非接触式メモリに情報の読み書きができるようになる。そして、リードライト用アンテナコイルと、非接触式メモリとの間で情報の読み書きが確実に行われるよう、メモリ側アンテナコイルは、リードライト用アンテナコイルの近傍に、前記リードライト用アンテナコイルの巻き方向に平行な仮想面と、メモリ側アンテナコイルの巻き方向に平行な仮想面と、が略平行に対向する位置に位置するため、リードライト用アンテナコイルの磁界の範囲から非接触式メモリが位置ずれをしたり、非接触式メモリをリードライト用アンテナコイルに瞬間的に近づけるなど、非接触式メモリのリードライト用アンテナコイル近傍での滞在時間が短かったり、リードライト用アンテナコイルに対する非接触式メモリの角度が平行でなかったりすることによる読み取りエラーが発生せず、情報の読み書きが瞬時に行われる。よって、読み取りエラー発生による再度の読み取りを行う必要もなく、無駄な電力を消費することを防止できる。
【００１２】
（２）電子キーと、電子キーに記憶される権限情報の読み取りおよび認証を行うことで施錠または解錠を行う制御部を備える電気錠と、からなる電気錠システムにおいて、電子キーは、電池と、メモリ側アンテナコイルを備えた非接触式メモリと、リードライト用アンテナコイルと、を備えること、メモリ側アンテナコイルは、リードライト用アンテナコイルの近傍に、リードライト用アンテナコイルの巻き方向に平行な仮想面と、前記メモリ側アンテナコイルの巻き方向に平行な仮想面と、が略平行に対向する位置に位置していること、電気錠は、電子キーを装着する装着孔を備えること、電子キーは、装着孔に装着されることで、電気錠に位置決めされ、リードライト用アンテナコイルと、制御部が接続されるとともに、制御部は電池に接続され、電池は直流電流により制御部に電源供給すること、電池から電源供給を受けた制御部が、リードライト用アンテナコイルと、メモリ側アンテナコイルと、を介して、非接触式メモリとの間で、高周波信号によって情報の読み書きを行うこと、高周波信号は、電子キーと、電気錠と、の間において、直流電流に重畳され、双方に供給されること、を特徴とするので、非接触式メモリの読み取りエラーを防ぐことで無駄な電池消費を防止することができる。
【００１３】
すなわち、電子キーが電気錠の装着孔に装着され、位置決めされると、制御部は、リードライト用アンテナコイルと、電池と、に確実に接続される。電池に接続された制御部は、電源供給をうけるため、リードライト用アンテナコイルと、メモリ側アンテナコイルと、を介して非接触式メモリに情報の読み書きができるようになる。そして、電子キーにおいては、リードライト用アンテナコイルと、非接触式メモリとの間で情報の読み書きが確実に行われるよう、メモリ側アンテナコイルが、リードライト用アンテナコイルの近傍に、リードライト用アンテナコイルの巻き方向に平行な仮想面と、メモリ側アンテナコイルの巻き方向に平行な仮想面と、が略平行に対向する位置に位置しているため、リードライト用アンテナコイルの磁界の範囲から非接触式メモリが位置ずれをしたり、非接触式メモリをリードライト用アンテナコイルに瞬間的に近づけるなど、非接触式メモリのリードライト用アンテナコイル近傍での滞在時間が短かったり、リードライト用アンテナコイルに対する非接触式メモリの角度が平行でなかったりすることによる読み取りエラーが発生せず、情報の読み書きが瞬時に行われる。よって、読み取りエラー発生による再度の読み取りを行う必要もなく、無駄な電力を消費することを防止できる。
【００１４】
（３）（１）または（２）に記載の電気錠システムにおいて、電気錠は、電子キーを、電気錠に位置決めされた状態で固定する固定手段を備えること、を特徴とするので、電気錠に衝撃や振動等の外力が加わった場合でも、安定した電気錠と電子キーの接続がなされる。
すなわち、電子キーが装着孔に装着され、位置決めされることで、制御部は、電池や、リードライト用アンテナコイルに接続されるため、電子キーが位置決めされた状態で、固定手段により固定されることで、電気錠に衝撃や振動等の外力が加わった場合でも、安定して制御部への電力供給が行われるとともに、非接触式メモリに記憶された情報の読み取りエラーを防止できる等、非接触式メモリとの間で安定して情報の読み書きを行うことが可能である。
【００１５】
（４）（３）に記載の電気錠システムにおいて、非接触式メモリは、権限情報を記憶すること、電気錠は、電気錠の制御を行うための制御信号を制御部に入力する入力手段を備えること、制御部は、電子キーが電気錠に装着され、電池から電源供給を受けることで、リードライト用アンテナコイルと、メモリ側アンテナコイルと、を介して、非接触式メモリから権限情報を読み取り、認証を行い、電気錠を所定の状態にするとともに、固定手段により電子キーの固定を行う電気錠利用開始プログラムと、電子キーが電気錠に装着されている場合であって、入力手段により制御部に制御信号が入力された場合に、リードライト用アンテナコイルと、メモリ側アンテナコイルと、を介して、非接触式メモリから権限情報を読み取り、認証を行い、電気錠を、所定の状態から利用開始前の状態に復元するとともに、固定手段による電子キーの固定を解除する電気錠利用停止プログラムと、を有すること、を特徴とするので、荷物輸送中に運転手が電子キーの管理を行う必要がなく、電子キーを紛失することを防止することができる。
【００１６】
特許文献１に開示される電子式南京錠のように、解錠のために電子キーを用いる場合、荷物受取人に電子キーを送付する必要がある。電子キーを荷物とは別途に送付すると、電子キーの到着が荷物より遅れてしまうことが考えられるため、荷物の配達者に電子キーを預ける必要がある。すると、配達者は、配達する荷物の管理の他、電子キーの管理を別個に行わなければならず、配達作業の効率が低下するおそれがある。特に、遠隔地へ荷物を輸送する場合、複数のトラックが中継して輸送を行うため、中継が行われる度に運転手同士で電子キーの受け渡しが行われ、電子キーの管理がますます困難となるおそれがある。また、万が一電子キーを紛失してしまうと、荷物受取人が配達用ボックスを解錠できなくなるおそれがある。
【００１７】
本発明においては、電気錠利用開始プログラムが実行されることで、電気錠が所定の状態になるとともに、固定手段により電子キーが電気錠に固定されると、電気錠利用停止プログラムが実行されることで、電気錠が所定の状態から利用開始前の状態に復元されるとともに、固定手段による電子キーの固定が解除されるまで、電子キーは電気錠に固定されたままとなる。ここで、所定の状態とは、例えば、電気錠が施錠された状態であり、所定の状態から利用開始前の状態に復元されるとは、電気錠が解錠された状態をいう。そのため、電気錠により輸送する荷物が施錠されると、荷物の輸送中は、電気錠と電子キーが常に一体となっている。電気錠と電子キーが常に一体となっているため、荷物の運送中に、トラックの運転手が電子キーの管理を別個に行う必要がない。遠隔地へ荷物を輸送する場合など、複数のトラックが中継して輸送を行う必要がある場合でも、中継が行われる度に運転手同士で電子キーを受け渡しが行われることがなく、配達作業の効率が低下するおそれが解消されるとともに、電子キーを紛失するおそれが解消される。
なお、電気錠利用開始プログラムが実行されることで、電気錠が解錠されるとともに、固定手段により電子キーが電気錠に固定され、電気錠利用停止プログラムが実行されることで、電気錠が施錠されるとともに、固定手段による電子キーの固定が解除されることとすることも可能である。
【００１８】
（５）（１）乃至（４）のいずれか１つに記載の電気錠システムにおいて、電気錠は、自己の位置情報を取得する位置情報取得手段を備えること、制御部は、所定の時間毎に、位置情報取得手段により取得した位置情報を、リードライト用アンテナコイルと、メモリ側アンテナコイルと、を介して非接触式メモリに書き込むこと、を特徴とするので、電子キーの管理を行うのみで、簡便な情報管理が可能である。
すなわち、電子キーを電気錠に装着することで、電子キーの電池から電源供給を受けた制御部が、リードライト用アンテナコイルと、メモリ側アンテナコイルと、を介して、位置情報取得手段により取得した位置情報を、電子キーの非接触式メモリに書き込む。電気錠システムの電池残量管理とともに、位置情報の管理を行うことができ、配送センター等において、電気錠システムを管理するのが簡便である。
【００１９】
（６）（１）乃至（５）のいずれか１つに記載の電気錠システムにおいて、  電気錠は、雰囲気温度を計測可能な温度センサを備えること、制御部は、所定の時間毎に、温度センサにより計測した温度情報を、リードライト用アンテナコイルと、メモリ側アンテナコイルと、を介して非接触式メモリに書き込むこと、を特徴とするので、電子キーの管理を行うのみで、簡便な情報管理が可能である。
例えば、臓器移植に供するための臓器など、保管温度を低温状態で保たなければならない荷物や、給食のように保管温度を６０度から７０度の範囲内で保たなければならない荷物など（６０度以下では給食に雑菌が繁殖し、７０度以上では火傷のおそれがあるため、６０度から７０度と規定されている）、温度管理が配送業者の責任の下で行われる。万が一、臓器が使用できなくなってしまった場合や、給食で食中毒が発生してしまった場合など、輸送中の温度に異常がなかったか否かを証明するため、輸送中の温度情報を管理しておく必要がある。そこで、電気錠システムに雰囲気温度を計測可能な温度センサを付与し、電子キーが電気錠に装着されることで、電子キーの電池から電源供給を受けた制御部が、リードライト用アンテナコイルと、メモリ側アンテナコイルと、を介して温度センサにより計測した温度情報を、所定時間毎に電子キーの非接触式メモリに書き込むこととすれば、電気錠システムの電池残量管理とともに、温度情報の管理を行うことができ、配送センター等において、電気錠システムを管理するのが簡便である。
【００２０】
（７）（１）乃至（６）のいずれか１つに記載の電気錠システムにおいて、電気錠システムは、電子キーを装着することで、電池を充電可能であるとともに、非接触式メモリとの間で情報の読み書きが可能である鍵管理装置を備えること、を特徴とする。
特許文献１に開示される従来の電子式南京錠は、制御部を駆動するための電池を備える他、履歴を記憶するための履歴記憶手段を備えているため、電池残量の管理や、電子式南京錠をＵＳＢポートに接続するなどして定期的な履歴情報の管理を行う必要がある。さらに、電子キーにおいては、電子式南京錠を解錠および施錠するための許可情報や有効時間情報の管理が必要である。したがって、配送センター等において、電池残量の管理や、情報管理のために、電子式南京錠と、電子キーの双方において管理体制を整えなければならず、面倒であった。
本発明によれば、例えば、鍵管理装置をスマートフォンや、パソコン等の電子機器にＵＳＢポートにより接続可能なものとすれば、電子キーの電池の充電を行いつつ、非接触式メモリに、電気錠を施錠または解錠を行うための権限情報を記憶させたり、記憶された履歴情報等を読み出したりすることが可能であり、配送センター等において、電気錠システムの情報管理が簡便となる。
【図面の簡単な説明】
【００２１】
【図１】第１の実施形態に係る電気錠システムの構成図を表す。
【図２】第１の実施形態に係る電気錠の正面図を表す。
【図３】第１の実施形態に係る電気錠の解錠状態の断面図を表す。
【図４】第１の実施形態に係る電気錠の施錠状態の断面図を表す。
【図５】電気錠利用開始プログラムのフローチャートを表す。
【図６】電気錠利用停止プログラムのフローチャートを表す。
【図７】鍵管理装置の外観斜視図を表す。
【図８】第２の実施形態に係る電気錠システムの構成図を表す。
【図９】第２の実施形態に係る電気錠の正面図を表す。
【図１０】第３の実施形態に係る電気錠を備える施錠荷物の外観斜視図を表す。
【図１１】第３の実施形態に係る電気錠の背面図を表す。
【図１２】第３の実施形態に係る電気錠の側方断面図を表す。
【図１３】電子キー側にリードライト用アンテナコイルを内蔵した場合であって、直流電流と高周波信号の重畳を行わない場合の回路の参考図である。
【発明を実施するための形態】
【００２２】
本発明の電気錠システム１の第１の実施形態について、図面を参照しながら詳細に説明する。
図１に示すように、本実施形態の電気錠システム１は、電子キーとしての電池パック２０と電気錠３０とを有する。電気錠３０は、制御部３１を有し、電気錠３０に装着する電池パック２０から権限情報を読み取って認証を行い、認証に成功した場合に電気錠３０の施錠または解錠を行う。
【００２３】
＜電池パックの構成＞
次に、電池パック２０について説明する。
電池パック２０は、電気錠３０を施錠または解錠するための電子キーとして用いられる。図２に示すように、電池パック２０は、電池２１と、平板状の非接触式メモリ２３を内蔵し、電気錠３０の電池パック装着孔３３５ａに挿入されるようになっている。また、第１端子２５と第２端子２７とを備え、電池パック装着孔３３５ａの内部の第１端子４７と第２端子４９と接続することで、電池２１から直流電流を電気錠３０の制御部３１に供給し、直流電流の供給を受けた制御部３１が、電気錠３０の制御を行う。
電池パック２０は、電気錠３０に備えられた固定手段３５と係合する固定手段係合部２０ａを備え、固定手段３５は、固定手段係合部２０ａと係合することで、電池パック２０を電気錠３０に位置決めされた状態で固定することができる。
【００２４】
電池２１は、例えばリチウムポリマー電池であり、充電可能な２次電池である。なお、必ずしも２次電池である必要はなく、１次電池を適用し、放電を終えた１次電池は新たな１次電池と交換可能なものとしておいても良い。
また、非接触式メモリ２３は、権限情報や履歴情報を記憶するメモリである。非接触式メモリ２３は、平板状をなし、ＩＣチップ２３ａと、メモリ側アンテナコイル２３ｂとを内蔵する。メモリ側アンテナコイル２３ｂと、後述する電気錠３０のリードライト用アンテナコイル３３との間で情報のやり取りをすることが可能であり、ＩＣチップ２３ａに記憶された情報の読み出しや、ＩＣチップ２３ａへの情報の書き込みが可能である。
ここで、権限情報とは、電気錠３０を施錠または解錠するための権限に関する情報である。また、履歴情報とは、電気錠３０の施錠または解錠が実行された時間の履歴や、電気錠３０が置かれた環境の雰囲気温度に関する情報や、電気錠３０の位置情報に関するものである。
【００２５】
電池パック２０は、例えば図７に示すような鍵管理装置２００により管理を行うことができる。鍵管理装置２００は、ケーブル２０５により、例えばＵＳＢポートによりスマートフォンや、パソコン等の電子機器（図示せず）に接続される。
鍵管理装置２００は、電池パック装着溝２０１を備える。そして、電池パック装着溝２０１の壁面には、非接触式メモリ読取部２０２を備え、かつ、電池パック装着溝２０１の底面には、端子２０３，２０４が備えられている。
電池パック２０を電池パック装着溝２０１に装着すると、第１端子２５，第２端子２７が、端子２０３，２０４に接続されるとともに、非接触式メモリ２３が、非接触式メモリ読取部２０２に対向して位置される。これにより、電池２１の充電を行うとともに、非接触式メモリ読取部２０２によって、非接触式メモリ２３に権限情報を書き込むことが可能となる。また、非接触式メモリ２３に履歴情報が記憶されていれば、非接触式メモリ読取部２０２によって、情報を読み取り、スマートフォンや、パソコン等の電子機器により管理することが可能である。電池２１の残量の管理を行いつつ、情報管理を行うことが可能であるため、配送センター等における電気錠システム１の情報管理が簡便となる。
【００２６】
＜電気錠の構成＞
次に、電気錠３０の構成について説明する。図２，図３，図４に示すように、電気錠３０は、非接触式メモリ２３に記憶される権限情報に基づき解錠および施錠される電子式の南京錠である。
電気錠３０は、Ｕ字形状で一端部が錠本体３３１に対して着脱自在なジョイントシャフト３３２を有している。電池パック２０は、電池２１、非接触式メモリ２３、一対の接触端子２５，２７を備えている。電気錠３０の表面には、表示手段４３と、入力手段（テンキー）４１が付設されている。入力手段４１により、解錠のためのパスワードが入力可能であり、表示手段４３には入力手段４１で入力した内容や、認証に失敗した場合のエラーメッセージを表示可能である。
【００２７】
図３、図４に、電気錠３０の構成を断面図で示す。図３は、短シャフト３３２ｂが錠本体３３１から離脱した状態（開錠状態）を示している。また、図４は、短シャフト３３２ｂが錠本体３３１に挿入され、ロックされた状態を示す。
金属製であり、内部に中空部３３１ｄを有する錠本体３３１の上面には、ジョイントシャフト３３２の短シャフト３３２ｂが着脱自在に挿入される短シャフト穴３３１ａと、長シャフト３３２ａが挿入される長シャフト穴３３１ｂが形成されている。また、短シャフト穴３３１ａと長シャフト穴３３１ｂを連通する横穴３３１ｃが形成されている。横穴３３１ｃには、平板状のロッキングカム３１６を挟んで一対のロック球３３３、３３４が取り付けられている。横穴３３１ｃの入口には、ロック球３３３、３３４が抜け出ないようにするための凸部（図示しない）が形成されている。
ロッキングカム３１６の中心には、回転軸３１８の先端部が固定されている。回転軸３１８の先端面は、樹脂製の押え板３３６により回転自在に保持されている。回転するロッキングカム３１６に、ロック球３３３、３３４が押し出され、押し出されたロック球３３３、３３４が、短シャフト３３２ｂおよび長シャフト３３２ａに形成されたロック溝３３２ｄ，３３２ｅに係合し、施錠が行われる。
【００２８】
錠本体３３１の中空部３３１ｄには、樹脂製のケース３３５が装着されている。
ケース３３５の上面には、凸部３３５ｃが形成されており、凸部３３５ｃに形成された保持穴３３５ｄに、回転軸３１８が回転可能に保持されている。ケース３３５には、保持穴３３５ｄに連続して少し径の大きい保持穴３３５ｅが形成されており、保持穴３３５ｅも回転軸３１８を回転可能に保持している。
【００２９】
また、ケース３３５には、電池パック２０を装着するための電池パック装着孔３３５ａが形成されており、電池パック装着孔３３５ａの内部には、第１端子４７および第２端子４９、リードライト用アンテナコイル３３を内蔵する読取部３３ａを備えている。電池パック２０が電池パック装着孔３３５ａに差し込まれると、電池パック２０は電池パック装着孔３３５ａ内で位置決めされ、電池パック２０の第１端子２５，第２端子２７は、確実に電気錠３０の第１端子４７と第２端子４９と接続するとともに、非接触式メモリ２３のメモリ側アンテナコイル２３ｂは、リードライト用アンテナコイル３３の近傍に、前記リードライト用アンテナコイル３３の巻き方向に平行な仮想面と、前記メモリ側アンテナコイル２３ｂの巻き方向に平行な仮想面と、が略平行に対向する位置に確実に位置する。このようなリードライト用アンテナコイル３３と、メモリ側アンテナコイル２３ｂとの位置関係により、リードライト用アンテナコイル３３の磁界の範囲から非接触式メモリ２３が位置ずれをしたり、非接触式メモリ２３をリードライト用アンテナコイル３３に瞬間的に近づけるなど、非接触式メモリ２３のリードライト用アンテナコイル３３近傍での滞在時間が短かったり、リードライト用アンテナコイル３３に対する非接触式メモリ２３の角度が適当でなかったりすることによる読み取りエラーが発生せず、情報の読み書きが瞬時に行われる。よって、読み取りエラー発生による再度の読み取りを行う必要もなく、無駄な電力を消費することを防止できる。なお、非接触式メモリ２３と、リードライト用アンテナコイル３３と、の距離は、１０ｃｍ以内であることが望ましい。リードライト用アンテナコイル３３の磁界は周囲１０ｃｍ程度であるため、非接触式メモリ２３がその範囲よりも外側にあると、情報の読み書きが安定的に行えなくなるおそれがあるからである。
【００３０】
また、長シャフト３３２ａを摺動自在に保持するためのガイド穴３３５ｂが形成されている。ガイド穴３３５ｂには、長シャフト３３２ａが摺動可能に装着されている。長シャフト３３２ａには、抜け止め部材３３２ｆが固設されている。抜け止め部材３３２ｆは、ケース３３５のガイド穴３３５ｈによりガイドされ、長シャフト３３２ａが錠本体３３１から離脱しないための抜け止めとして機能している。
【００３１】
また、ケース３３５には、長シャフト３３２ａを検出するための摺動ノッチ３２４を摺動可能に保持するノッチ摺動穴３３５ｆが形成されている。ノッチ摺動穴３３５ｆには、付勢バネ３２５が付設されており、付勢バネ３２５は、摺動ノッチ３２４を長シャフト３３２ａに当接する方向に付勢している。
ケース３３５の中央部には、中空部３３５ｇが形成されており、回転軸３１８を回転させるためのモータ３２１、モータ３２１の回転軸に固設されたモータギア３２０、回転軸３１８に固設され、モータギア３２０と係合している回転軸ギア３１９、回転軸３１８の下端部に固設され、検出ノッチ３２２ａが形成された検出板３２２、検出ノッチ３２２ａを検出するためのリミットスイッチである施錠位置検出スイッチ３２３、摺動ノッチ３２４により長シャフト３３２ａの位置を確認するためのリミットスイッチである長シャフト確認スイッチ３２６、が収納されている。
なお、モータ３２１、施錠位置検出スイッチ３２３、長シャフト確認スイッチ３２６等の配線、及び制御部３１は、図が複雑になるため、図示を省略している。
【００３２】
＜電気錠システムの回路構成＞
電池パック２０には、図１に示す電気回路が構成されている。この電気回路は、電池２１と、非接触式メモリ２３とを備えている。電池２１のプラス極側に第１端子２５が接続され、かつ、電池２１のマイナス極側に第２端子２７が接続されている。
また、電気錠３０には、図１に示す電気回路が構成されている。当該電気回路は、制御部３１を備え、制御部３１には、平板状に巻回されたリードライト用アンテナコイル３３と、電気錠３０に装着された電池パック２０の装着状態を維持する固定手段３５と、電気錠３０の自己の位置情報を取得可能な位置情報取得手段と、電気錠３０の置かれた雰囲気の温度を計測可能な温度センサ３９と、外部と通信可能な無線通信手段３６と、が接続されている。無線通信手段３６とは、例えば、低電力広域通信が可能なモジュールであり、省電力でありながら、広域での無線通信が可能である。また、先述した、入力手段４１と、表示手段４３と、モータ３２１と、施錠位置検出スイッチ３２３と、長シャフト確認スイッチ３２６と、が接続されている。さらにまた、制御部３１には、安定化電源４５を介して、第１端子４７と、第２端子４９とが接続されている。安定化電源４５とは、電池パック２０の電池２１から供給される直流電源の出力電圧を常に一定の値になるように制御する電源回路である。
【００３３】
制御部３１は、ＣＰＵ３１１と、ＲＯＭ３１３と、ＲＡＭ３１５と、ＮＦＣ３１７とを備える。
ＲＯＭ３１３には、電気錠３０を施錠するための電気錠利用開始プログラム３１３ａと、電気錠３０を解錠するための電気錠利用停止プログラム３１３ｂが記憶されている。ＣＰＵ３１１は、電気錠利用開始プログラム３１３ａまたは電気錠利用停止プログラム３１３ｂに従って、ＲＡＭ３１５に一時的にデータ保管をしながら電気錠３０の動作を制御する。
また、ＮＦＣ３１７は、リードライト用アンテナコイル３３が接続されており、リードライト用アンテナコイル３３により非接触式メモリ２３に記憶された情報の読み取りを行う他、リードライト用アンテナコイル３３により非接触式メモリ２３に情報の書き込みを行う。
【００３４】
＜電気錠システムの動作＞
このような構成の電気錠システム１は、以下のように作用する。
まず、電気錠３０を用いて荷物が入った鞄や配達用ボックスを施錠する場合について、説明する。
はじめに、鍵管理装置２００を用いて、電池パック２０の非接触式メモリ２３に、権限情報を書き込む。
次に、電池パック２０を電気錠３０の電池パック装着孔３３５ａに挿し込む。電子キパック２０が電池パック装着孔３３５ａに装着され、位置決めされると、リードライト用アンテナコイル３３の近傍に、非接触式メモリ２３のメモリ側アンテナコイル２３ｂが、前記リードライト用アンテナコイル３３の巻き方向に平行な仮想面と、前記メモリ側アンテナコイル２３ｂの巻き方向に平行な仮想面と、が略平行に対向する位置に確実に位置すると同時に、電池パック２０の第１端子２５と電気錠３０の第１端子４７とが確実に接続され、電池パック２０の第２端子２７と電気錠３０の第２端子４９とが接続される。すると、電池２１から、直流電流が、安定化電源４５を介して、制御部３１に供給され、制御部３１のＣＰＵ３１１が駆動する。
【００３５】
そして、駆動したＣＰＵ３１１は、ＲＯＭ３１３から電気錠利用開始プログラム３１３ａを読み出し、実行する。
まず、ジョイントシャフト３３２が施錠位置にあるか否かの確認のため、長シャフト確認スイッチ３２６がＯＮになっているか否かを確認する（Ｓ１０）。ジョイントシャフト３３２が施錠位置にない場合は、表示手段４３においてその旨の通知を行い（Ｓ１５）、ジョイントシャフト３３２を施錠位置に移動させるよう、使用者に促す。
【００３６】
ジョイントシャフト３３２が施錠位置にあれば（Ｓ１０：ＹＥＳ）、ＣＰＵ３１１は、リードライト用アンテナコイル３３により、非接触式メモリ２３に記憶された権限情報を読み取る（Ｓ１１）。
ＣＰＵ３１１は、読み取った権限情報の認証を行う（Ｓ１２）。認証に成功すると（Ｓ１２：ＹＥＳ）、電気錠３０は施錠され、電池パック２０を固定手段３５により、電池パック装着孔３３５ａ内に、位置決めされた状態で固定する（Ｓ１３）。
電池パック２０が、位置決めされた状態で固定されることで、電気錠３０に衝撃や振動等の外力が加わった場合でも、安定して制御部３１への電力供給が行われるとともに、非接触式メモリ２３に記憶された情報の読み取りエラーを防止できる等、非接触式メモリ２３との間で安定して情報の読み書きを行うことが可能である。
そして、リードライト用アンテナコイル３３と、メモリ側アンテナコイル２３ｂと、を介して、非接触式メモリ２３に、解錠時間を記憶させ（Ｓ１４）、電気錠利用開始プログラム３１３ａは終了する。
権限情報の認証に失敗した場合には（Ｓ１２：ＮＯ）、表示手段４３においてエラー通知を行い（Ｓ１６）、電気錠利用開始プログラム３１３ａが終了する。
【００３７】
施錠された荷物の配送中においては、制御部３１は、所定の時間毎に、位置情報取得手段３７により取得した電気錠３０の位置情報や、温度センサ３９により計測した電気錠３０の置かれた雰囲気の温度情報を、リードライト用アンテナコイル３３と、メモリ側アンテナコイル２３ｂと、を介して非接触式メモリ２３に書き込むことができる。電池パック２０が、電池パック装着孔３３５ａ内に、位置決めされた状態で固定されているため、非接触式メモリ２３に安定して情報の書き込みを行うことが可能である。なお、所定の時間とは、数分おきや、数時間おきでも良いし、常時としても良い。
【００３８】
非接触式メモリ２３に記憶された位置情報を確認することで、配達経路の確認をすることができ、配達中に不正が行われていないか管理が可能となる。また、一定温度に保たれたコンテナ内に荷物が収納され配達される場合には、非接触式メモリ２３に記憶された温度情報を確認することで、温度が間違いなく一定に保たれていたかどうか確認をすることが可能となる。例えば、先述の鍵管理装置２００を用いることで、電池残量や、位置情報、温度情報等の管理を一括で行うことが可能であり、電気錠システム１を管理するのが簡便である。
また、無線通信手段３６により、位置情報取得手段３７により取得した電気錠３０の位置情報や、温度センサ３９により計測した電気錠３０の置かれた雰囲気の温度情報を、配送センターの管理サーバ等に送信することも可能である。
【００３９】
なお、荷物の配送中に非接触式メモリ２３に書き込む情報は、上記の位置情報や温度情報に限るものではない、例えば制御部３１に、３軸加速度センサを接続すれば、荷物の傾斜具合が記録可能であるし、気圧検出センサや、赤外線センサ、放射線センサ等、用途に応じて様々なセンサを用いることで、非接触式メモリ２３に記録しておきたい情報を記録することが可能である。
【００４０】
次に、施錠された荷物が荷受人に届き、荷受人が電気錠３０を解錠する場合について説明する。
まず、荷受人は解錠のためのパスワードを入力手段４１により入力する（Ｓ２０）。ここで、パスワードは事前に電子メール等により荷受人に通知されているものである。入力されたパスワードが制御信号としてＣＰＵ３１１に送信され、制御信号を受けたＣＰＵ３１１は、リードライト用アンテナコイル３３により、非接触式メモリ２３に記憶された権限情報を読み取る（Ｓ２１）。そして、ＣＰＵ３１１は、入力されたパスワードと、読み取った権限情報との認証を行う（Ｓ２２）。
【００４１】
権限情報の認証に失敗した場合には（Ｓ２２：ＮＯ）、表示手段４３においてエラー通知を行い（Ｓ２６）、電気錠利用停止プログラム３１３ｂが終了する。
認証に成功すると（Ｓ２２：ＹＥＳ）、電気錠３０は解錠され（Ｓ２３）、解錠時間を非接触式メモリ２３に記憶させる（Ｓ２４）。そして、固定手段３５による、電池パック２０の固定が解除され（Ｓ２５）、電気錠利用停止プログラム３１３ｂは終了する。
【００４２】
固定が解除された電池パック２０は電気錠３０から取り外し可能となり、配送業者が電気錠３０とともに回収する。回収された電池パック２０は、配送センター等において、鍵管理装置２００で充電されるとともに、非接触式メモリ２３に記憶された情報の読み取りを行い、読み取った情報の管理を行うことができる。
電気錠３０が施錠され、固定手段３５により電池パック２０が電気錠３０に固定されると、電気錠３０が解錠されるまで、固定手段３５による固定は解除されないため、荷物の輸送中は、電気錠３０と電池パック２０が常に一体となっている。荷物の輸送中は、電気錠３０と電池パック２０が常に一体となっているため、荷物の運送中に、トラックの運転手が電池パック２０の管理を別個に行う必要がない。遠隔地へ荷物を輸送する場合など、複数のトラックが中継して輸送を行う必要がある場合でも、中継が行われる度に運転手同士で電池パック２０を受け渡しが行われることがなく、配達作業の効率が低下するおそれが解消されるとともに、電池パック２０を紛失するおそれが解消される。
【００４３】
以上説明したように、第１の実施形態の電気錠システム１によれば、
（１）電子キーとしての電池パック２０と、電池パック２０に記憶される権限情報の読み取りおよび認証を行うことで施錠または解錠を行う制御部３１を備える電気錠３０と、からなる電気錠システム１において、電池パック２０は、電池２１と、メモリ側アンテナコイル２３ｂを備えた非接触式メモリ２３と、を備えること、電気錠３０は、電池パック２０を装着する電池パック装着孔３３５ａと、制御部３１に接続されたリードライト用アンテナコイル３３と、を備えること、電池パック２０は、電池パック装着孔３３５ａに装着されることで、電気錠３０に位置決めされ、メモリ側アンテナコイル２３ｂは、リードライト用アンテナコイル３３の近傍に、リードライト用アンテナコイル３３の巻き方向に平行な仮想面と、メモリ側アンテナコイル２３ｂの巻き方向に平行な仮想面と、が略平行に対向する位置に位置されるとともに、制御部３１は電池２１に接続され、電源供給を受けること、電池２１から電源供給を受けた制御部３１が、リードライト用アンテナコイル３３と、メモリ側アンテナコイル２３ｂと、を介して、非接触式メモリ２３との間で情報の読み書きを行うこと、を特徴とするので、非接触式メモリ２３の読み取りエラーを防ぐことで無駄な電池消費を防止することができる。
【００４４】
すなわち、電池パック２０が電気錠３０に装着され、位置決めされると、制御部３１は電池２１に接続され、電源供給をうけるため、リードライト用アンテナコイル３３と、メモリ側アンテナコイル２３ｂと、を介して非接触式メモリ２３に情報の読み書きができるようになる。そして、リードライト用アンテナコイル３３と、非接触式メモリ２３との間で情報の読み書きが確実に行われるよう、リードライト用アンテナコイル３３の近傍に、メモリ側アンテナコイル２３ｂが、リードライト用アンテナコイル３３の巻き方向に平行な仮想面と、メモリ側アンテナコイル２３ｂの巻き方向に平行な仮想面と、が略平行に対向する位置に位置するため、リードライト用アンテナコイル３３の磁界の範囲から非接触式メモリ２３が位置ずれをしたり、非接触式メモリ２３をリードライト用アンテナコイル３３に瞬間的に近づけるなど、非接触式メモリ２３のリードライト用アンテナコイル３３近傍での滞在時間が短かったり、リードライト用アンテナコイル３３に対する非接触式メモリ２３の角度が平行でなかったりすることによる読み取りエラーが発生せず、情報の読み書きが瞬時に行われる。よって、読み取りエラー発生による再度の読み取りを行う必要もなく、無駄な電力を消費することを防止できる。
【００４５】
（３）（１）に記載の電気錠システム１において、電気錠３０は、電池パック２０を、電気錠３０に位置決めされた状態で固定する固定手段３５を備えること、を有すること、を特徴とするので、電気錠３０に衝撃や振動等の外力が加わった場合でも、安定した電気錠３０と電池パック２０の接続がなされる。
すなわち、電池パック２０が電池パック装着孔３３５ａに装着され、位置決めされることで、制御部３１は電池２１や、リードライト用アンテナコイル３３に接続されるため、電池パック２０が位置決めされた状態で、固定手段３５により固定されることで、電気錠３０に衝撃や振動等の外力が加わった場合でも、安定して制御部３１への電力供給が行われるとともに、非接触式メモリ２３に記憶された情報の読み取りエラーを防止できる等、非接触式メモリ２３との間で安定して情報の読み書きを行うことが可能である。
【００４６】
（４）（３）に記載の電気錠システム１において、非接触式メモリ２３は、権限情報を記憶すること、電気錠３０は、電気錠３０の制御を行うための制御信号を制御部３１に入力する入力手段４１を備えること、制御部３１は、電池パック２０が電気錠３０に装着され、電池２１から電源供給を受けることで、リードライト用アンテナコイル３３と、メモリ側アンテナコイル２３ｂと、を介して、非接触式メモリ２３から権限情報を読み取り、認証を行い、電気錠３０を施錠するとともに、固定手段３５により電池パック２０の固定を行う電気錠利用開始プログラム３１３ａと、電池パック２０が電気錠３０に装着され、かつ電気錠３０が施錠された状態にある場合であって、入力手段４１により制御部３１に制御信号が入力された場合に、リードライト用アンテナコイル３３と、メモリ側アンテナコイル２３ｂと、を介して、非接触式メモリ２３から権限情報を読み取り、認証を行い、電気錠３０を解錠するとともに、固定手段３５による電池パック２０の固定を解除する電気錠利用停止プログラム３１３ｂと、を有すること、を特徴とするので、荷物輸送中に運転手が電池パック２０の管理を行う必要がなく、電池パック２０を紛失することを防止することができる。
【００４７】
特許文献１に開示される電子式南京錠のように、解錠のために電子キーを用いる場合、荷物受取人に電子キーを送付する必要がある。電子キーを荷物とは別途に送付すると、電子キーの到着が荷物より遅れてしまうことが考えられるため、荷物の配達者に電子キーを預ける必要がある。すると、配達者は、配達する荷物の管理の他、電子キーの管理を別個に行わなければならず、配達作業の効率が低下するおそれがある。特に、遠隔地へ荷物を輸送する場合、複数のトラックが中継して輸送を行うため、中継が行われる度に運転手同士で電子キーの受け渡しが行われ、電子キーの管理がますます困難となるおそれがある。また、万が一電子キーを紛失してしまうと、荷物受取人が配達用ボックスを解錠できなくなるおそれがある。
【００４８】
本実施形態においては、固定手段３５により電池パック２０が電気錠３０に固定され、電気錠３０が解錠されるまで、固定手段３５による固定は解除されないため、荷物の輸送中は、電気錠３０と電池パック２０が常に一体となっている。荷物の輸送中は、電気錠３０と電池パック２０が常に一体となっているため、荷物の運送中に、トラックの運転手が電池パック２０の管理を別個に行う必要がない。遠隔地へ荷物を輸送する場合など、複数のトラックが中継して輸送を行う必要がある場合でも、中継が行われる度に運転手同士で電池パック２０を受け渡しが行われることがなく、配達作業の効率が低下するおそれが解消されるとともに、電池パック２０を紛失するおそれが解消される。
【００４９】
（５）（１），（３）および（４）のいずれか１つに記載の電気錠システム１において、電気錠３０は、自己の位置情報を取得する位置情報取得手段３７を備えること、制御部３１は、所定の時間毎に、位置情報取得手段３７により取得した位置情報を、リードライト用アンテナコイル３３と、メモリ側アンテナコイル２３ｂと、を介して非接触式メモリ２３に書き込むこと、を特徴とするので、電池パック２０の管理を行うのみで、簡便な情報管理が可能である。
すなわち、電池パック２０を電気錠３０に装着することで、電池パック２０の電池２１から電源供給を受けた制御部３１が、リードライト用アンテナコイル３３と、メモリ側アンテナコイル２３ｂと、を介して位置情報取得手段３７により取得した位置情報を、電池パック２０の非接触式メモリ２３に書き込む。電気錠システム１の電池残量管理とともに、位置情報の管理を行うことができ、配送センター等において、電気錠システム１を管理するのが簡便である。
【００５０】
（６）（１），（３）乃至（５）のいずれか１つに記載の電気錠システム１において、電気錠３０は、雰囲気温度を計測可能な温度センサ３９を備えること、制御部３１は、所定の時間毎に、温度センサ３９により計測した温度情報を、リードライト用アンテナコイル３３と、メモリ側アンテナコイル２３ｂと、を介して非接触式メモリ２３に書き込むこと、を特徴とするので、電池パック２０の管理を行うのみで、簡便な情報管理が可能である。
例えば、保管温度を低温状態で保たなければならない荷物や、給食のように保管温度を６０度から７０度の範囲内で保たなければならない荷物など（６０度以下では給食に雑菌が繁殖し、７０度以上では火傷のおそれがあるため、６０度から７０度と規定されている）、温度管理が配送業者の責任の下で行われる。万が一、給食で食中毒が発生してしまった場合など、輸送中の温度に異常がなかったか否かを証明するため、輸送中の温度情報を管理しておく必要がある。そこで、雰囲気温度を計測可能な温度センサ３９を備えた電気錠３０により、給食を配送する容器を施錠し、当該容器を、内部温度が６０度から７０度の間の温度に設定されたコンテナ等で配送することとすれば、電池パック２０が電気錠３０に装着されることで、電池パック２０の電池から電源供給を受けた制御部３１が、リードライト用アンテナコイル３３と、メモリ側アンテナコイル２３ｂと、を介して温度センサ３９により計測した温度情報を、所定時間毎に電池パック２０の非接触式メモリ２３に書き込むことができるため、電気錠システム１の電池残量管理とともに、温度情報の管理を行うことができる。
【００５１】
（７）（１），（３）乃至（６）のいずれか１つに記載の電気錠システム１において、荷物輸送用電気錠システム１は、電池パック２０を装着することで、電池２１を充電可能であるとともに、非接触式メモリ２３との間で情報を読み書き可能である鍵管理装置２００を備えること、を特徴とする。
特許文献１に開示される従来の電子式南京錠は、制御部を駆動するための電池を備える他、履歴を記憶するための履歴記憶手段を備えているため、電池残量の管理や、電子式南京錠をＵＳＢポートに接続するなどして定期的な履歴情報の管理を行う必要がある。さらに、電子キーにおいては、電子式南京錠を解錠および施錠するための許可情報や有効時間情報の管理が必要である。したがって、配送センター等において、電池残量の管理や、情報管理のために、電子式南京錠と、電子キーの双方において管理体制を整えなければならず、面倒であった。
本実施形態によれば、例えば、鍵管理装置２００をスマートフォンや、パソコン等の電子機器にＵＳＢポートにより接続可能なものとすれば、電池パック２０の電池２１の充電を行いつつ、非接触式メモリ２３に、電気錠３０を施錠または解錠を行うための権限情報を記憶させたり、記憶された履歴情報等を読み出したりすることが可能であり、配送センター等において、電気錠システム１の情報管理が簡便となる。
【００５２】
次に本発明の電気錠システム１の第２の実施形態について、図面を参照しながら詳細に説明する。なお、第１の実施形態と異なる点のみ説明する。
＜電池パックの構成＞
電池パック５０について説明する。電池パック５０が、電気錠６０を施錠または解錠するための電子キーとして用いられる点は第１の実施形態と同様である。図９に示すように、電池パック５０は、電池２１と、平板状の非接触式メモリ２３と、リードライト用アンテナコイル３３と、を内蔵する電池パックである。非接触式メモリ２３は、リードライト用アンテナコイル３３が非接触式メモリ２３に対して情報の読み書きがしやすいよう、リードライト用アンテナコイル３３に隣接して位置される。すなわち、非接触式メモリ２３のメモリ側アンテナコイル２３ｂが、リードライト用アンテナコイル３３の近傍に、前記リードライト用アンテナコイル３３の巻き方向に平行な仮想面と、前記メモリ側アンテナコイル２３ｂの巻き方向に平行な仮想面と、が略平行に対向する位置に位置されており、本実施例においては、リードライト用アンテナコイル３３に、両面テープにより非接触式メモリ２３を貼り付けて固定している。両面テープにより貼り付けて固定することで、荷物輸送中の振動や衝撃が加わっても安定して情報の読み書きが可能となる。なお、必ずしも両面テープを用いる必要はなく、接着剤により固定する方法も考えられる。
【００５３】
このようなリードライト用アンテナコイル３３と、メモリ側アンテナコイル２３ｂとの位置関係により、リードライト用アンテナコイル３３の磁界の範囲から非接触式メモリ２３が位置ずれをしたり、非接触式メモリ２３をリードライト用アンテナコイル３３に瞬間的に近づけるなど、非接触式メモリ２３のリードライト用アンテナコイル３３近傍での滞在時間が短かったり、リードライト用アンテナコイル３３に対する非接触式メモリ２３の角度が適当でなかったりすることによる読み取りエラーが発生せず、情報の読み書きが瞬時に行われる。よって、読み取りエラー発生による再度の読み取りを行う必要もなく、無駄な電力を消費することを防止できる。
なお、非接触式メモリ２３と、リードライト用アンテナコイル３３と、の距離は、１０ｃｍ以内であることが望ましい。リードライト用アンテナコイル３３の磁界は周囲１０ｃｍ程度であるため、非接触式メモリ２３がその範囲よりも外側にあると、情報の読み書きが安定的に行えなくなるおそれがあるからである。
【００５４】
また、電池パック５０は、第１の実施形態と同様に、電気錠６０の電池パック装着孔３３５ａに挿入され、電池パック装着孔３３５ａ内で位置決めされるようになっている。電池パック５０は、第１端子２５と第２端子２７とを備え、電池パック装着孔３３５ａの内部の第１端子４７と第２端子４９と接続することで、リードライト用アンテナコイル３３が制御部３１に接続されるとともに、電池２１から直流電流を電気錠６０の制御部３１に供給する。直流電流の供給を受けた制御部３１は、リードライト用アンテナコイル３３と、メモリ側アンテナコイル２３ｂと、を介して、非接触式メモリ２３との間で、高周波信号によって情報の読み書きを行う。当該高周波信号は、電池パック５０と、電気錠６０と、の間において、直流電流に重畳され、双方に供給される。
【００５５】
電池パック５０は、第１の実施例と同様に、例えば図７に示すような鍵管理装置２００により管理を行うことができる。ただし、本実施例においては、端子２０３，２０４において、電流に重畳して高周波信号の授受をするものとしておけば、非接触式メモリ読取部２０２を設けずに、非接触式メモリ２３に情報の読み書きをすることが可能である。
【００５６】
＜電気錠の構成＞
第２の実施形態においては、上述の通り、電池パック５０にリードライト用アンテナコイル３３が内蔵されており、高周波信号が直流電流に重畳されて電気錠６０と電池パック５０との間でやりとりされるため、第１の実施形態と異なり、電池パック装着孔３３５ａの内部には、読取部３３ａが設けられていない。電池パック５０が、電池パック装着孔３３５ａに差し込まれると、電池パック５０は電池パック装着孔３３５ａ内で位置決めされ、電池パック５０の第１端子２５，第２端子２７は、確実に電気錠６０の第１端子４７と第２端子４９と接続する。
その他の構成は、第１の実施形態に係る電気錠３０と同様である。
【００５７】
＜電気錠システムの回路構成＞
電池パック５０には、図８に示す電気回路が構成されている。この電気回路は、電池２１と、リードライト用アンテナコイル３３と、キー側インダクタンスコイル２８Ａ，２８Ｂと、キー側コンデンサ２９Ａ，２９Ｂと、非接触式メモリ２３を備えている。
電池２１のプラス極側に第１端子２５が接続され、かつ、電池２１のマイナス極側に第２端子２７が接続されている。そして、第１端子２５と電池２１のプラス極とを繋ぐ電線にキー側インダクタンスコイル２８Ａが設けられ、かつ、第２端子２７と電池２１のマイナス極とを繋ぐ電線にキー側インダクタンスコイル２８Ｂが設けられている。
また、第１端子２５とキー側インダクタンスコイル２８Ａとの間  および  第２端子２７とキー側インダクタンスコイル２８Ｂとの間に、電線の分岐点が設けられ、分岐した電線にリードライト用アンテナコイル３３が接続されている。そして、分岐点とリードライト用アンテナコイル３３との間に、キー側コンデンサ２９Ａ，２９Ｂが設けられている。
【００５８】
電気錠６０には、図８に示す電気回路が構成されている。この電気回路は、錠側インダクタンスコイル５０Ａ，５０Ｂと、錠側コンデンサ５１Ａ，５１Ｂと、安定化電源４５を備えている。詳しくは、第１端子４７とＮＦＣ３１７とを繋ぐ電線にコンデンサ５１Ａが設けられ、かつ、第２端子４９とＮＦＣ３１７とを繋ぐ電線にコンデンサ５１Ｂが設けられている。また、第１端子４７とコンデンサ５１Ａの間と安定化電源４５とを繋ぐ電線にインダクタンスコイル５０Ａが設けられ、第２端子４９とコンデンサ５１Ｂの間と安定化電源４５とを繋ぐ電線にインダクタンスコイル５０Ｂが設けられている。
錠側インダクタンスコイル５０Ａ，５０Ｂは、直流電源を通過させる一方で高周波信号を遮断する電子部品である。錠側コンデンサ５１Ａ，５１Ｂは、高周波信号を通過させる一方で直流電源を遮断する電子部品である。安定化電源４５は、直流電源の出力電圧が常に一定の値になるように制御される電源回路であり、制御部３１に繋がっている。
【００５９】
以上のように、本実施形態の電池パック５０と電気錠６０との間においては、電池パック５０の電気回路と電気錠６０の電気回路が２つの端子で接続して、高周波信号と直流電源との重畳および分離を行う電気回路が構成されている。
直流電流に高周波信号を重畳させる目的は、電池パック５０と、電気錠６０との接点数を減らし、接点において不具合が発生するおそれを低減し、電池パック５０と、電気錠６０との接続安定性を確保することにある。
【００６０】
詳しく説明すると、直流電流に高周波信号を重畳させずに、電池パック５０と、電気錠６０との間で、制御部３１への電力供給と、非接触式メモリ２３への情報の読み書きを行うためには、図１３に示すように、電池パック５０と、電気錠６０とを４つの接点で接続させる必要がある。すなわち、電源供給のための、電池パック５０の第１端子２５，第２端子２７およびこれらに接続する電気錠６０の第１端子４７，第２端子４９と、高周波信号を授受するための、電池パック５０の第３端子６１，第４端子６２およびこれらに接続する電気錠６０の第３端子６３，第４端子６４と、が必要となる。接点数が増えると、輸送中の振動や衝撃により接点同士が微摺動摩耗を起こし、接続不良を起こす確率が高くなり、例えば、電源供給のための端子は接続され、電池２１からの電源供給はされていても、高周波信号を授受するための端子において接触不良が発生し、高周波信号を授受できないという状態に陥る可能性もある。そこで、本発明においては、直流電流に高周波信号を重畳させるものとし、２つの接点（電池パック５０の第１端子２５，第２端子２７およびこれらに接続する電気錠６０の第１端子４７，第２端子４９）のみで、電池パック５０と、電気錠６０とを接続するものとしている。このようにすれば、２つの接点が接続されれば、確実に電源供給と高周波信号の授受が可能となり、接続安定性を確保可能である。
その他の構成は、第１の実施形態と同様である。
【００６１】
＜電気錠システムの動作＞
このような構成の電気錠システム１は、以下のように作用する。
まず、電気錠６０を用いて荷物が入った鞄や配達用ボックスを施錠する場合について、説明する。
はじめに、第１の実施形態と同様に、鍵管理装置２００によって、電池パック５０の非接触式メモリ２３に、解錠権限情報を書き込む。
【００６２】
次に、電池パック５０を電気錠６０の電池パック装着孔３３５ａに挿し込む。電池パック５０の第１端子２５と電気錠６０の第１端子４７とが接続し、電池パック５０の第２端子２７と電気錠６０の第２端子４９とが接続する。このようにして、デジタルキー１１とデジタル錠１２が、２つの端子で接続する。
【００６３】
すると、インダクタンスコイルは直流電源を通過させるので、電池パック５０の電池２１からの直流電源は、キー側インダクタンスコイル２８Ａ，２８Ｂと錠側インダクタンスコイル５０Ａ，５０Ｂを通過して、さらに安定化電源４５を介して、制御部３１に送られる。その一方、コンデンサは直流電源を通過させないので、電池パック５０の電池２１からの直流電源は、キー側コンデンサ２９Ａ，２９Ｂと錠側コンデンサ５１Ａ，５１Ｂで遮断されて、リードライト用アンテナコイル３３とＮＦＣ３１７には送られない。このようにして、ＣＰＵ３１１は、電池２１から直流電源の供給を受けて駆動する。
そして、駆動したＣＰＵ３１１は、ＲＯＭ３１３から電気錠利用開始プログラム３１３ａを読み出し、実行する。電気錠利用開始プログラム３１３ａの動作内容は、第１の実施形態と同様である（図５参照）。
【００６４】
ＮＦＣ３１７は、リードライト用アンテナコイル３３を介して、非接触式メモリ２３との間で高周波信号（周波数が例えば１３．５６ＭＨｚの信号）の通信を行い、非接触式メモリ２３に記憶されている解錠権限情報を取得する。ここで、コンデンサは高周波信号を通過させるので、高周波信号は、キー側コンデンサ２９Ａ，２９Ｂと錠側コンデンサ５１Ａ，５１Ｂとを通過して、ＮＦＣ３１７とリードライト用アンテナコイル３３との間で送信される。その一方、インダクタンスコイルは高周波信号を通過させないので、高周波信号は、キー側インダクタンスコイル２８Ａ，２８Ｂと錠側インダクタンスコイル５０Ａ，５０Ｂとで遮断されて、電池２１と安定化電源４５には送信されない。そして、ＣＰＵ３１１は、このようにして読み取った解錠権限情報の認証を行う。
【００６５】
すなわち、本実施形態では、電気回路上で、電池パック５０の電池２１からの直流電源と、非接触式メモリ２３からリードライト用アンテナコイル３３を介して送られる高周波信号と、を重畳して電池パック５０から電気錠６０に送った後に、前記の直流電源と前記の高周波信号とを分離して、ＣＰＵ３１１とＮＦＣ３１７に送っている。
【００６６】
施錠された荷物の配送中において、制御部３１が、所定の時間毎に、位置情報取得手段３７により取得した電気錠６０の位置情報や、温度センサ３９により計測した電気錠６０の置かれた雰囲気の温度情報を、リードライト用アンテナコイル３３を介して非接触式メモリ２３に書き込むことができる点は、第１の実施形態に係る電気錠システム１と同様であり、電池パック５０が、電池パック装着孔３３５ａ内に、位置決めされた状態で固定されているため、非接触式メモリ２３に安定して情報の書き込みを行うことが可能である。
また、施錠された荷物が荷受人に届き、荷受人が電気錠６０を解錠する場合について、電気錠利用停止プログラム３１３ｂの動作内容は、第１の実施形態に係る電気錠システム１と同様である（図６参照）。
【００６７】
以上説明したように、第２の実施形態の電気錠システム１によれば、
（２）電子キーとしての電池パック５０と、電池パック５０に記憶される権限情報の読み取りおよび認証を行うことで施錠または解錠を行う制御部３１を備える電気錠６０と、からなる電気錠システム１において、電池パック５０は、電池２１と、メモリ側アンテナコイル２３ｂを備えた非接触式メモリ２３と、リードライト用アンテナコイル３３と、を備えること、メモリ側アンテナコイル２３ｂは、リードライト用アンテナコイル３３の近傍に、リードライト用アンテナコイル３３の巻き方向に平行な仮想面と、メモリ側アンテナコイル２３ｂの巻き方向に平行な仮想面と、が略平行に対向する位置に位置していること、電気錠６０は、電池パック５０を装着する電池パック装着孔３３５ａを備えること、電池パック５０は、電池パック装着孔３３５ａに装着されることで、電気錠６０に位置決めされ、リードライト用アンテナコイル３３と、制御部３１が接続されるとともに、制御部３１は電池２１に接続され、電池２１は直流電流により制御部３１に電源供給すること、電池２１から電源供給を受けた制御部３１が、リードライト用アンテナコイル３３と、メモリ側アンテナコイル２３ｂと、を介して、非接触式メモリ２３との間で、高周波信号によって情報の読み書きを行うこと、高周波信号は、電池パック５０と、電気錠６０と、の間において、直流電流に重畳され、双方に供給されること、を特徴とするので、非接触式メモリ２３の読み取りエラーを防ぐことで無駄な電池消費を防止することができる。
【００６８】
すなわち、電池パック５０が電気錠６０の電池パック装着孔３３５ａに装着され、位置決めされると、リードライト用アンテナコイル３３と、電池２１と、に確実に接続される。電池２１に接続された制御部３１は、電源供給をうけるため、リードライト用アンテナコイル３３と、メモリ側アンテナコイル２３ｂと、を介して非接触式メモリ２３に情報の読み書きができるようになる。そして、電池パック５０においては、リードライト用アンテナコイル３３と、非接触式メモリ２３との間で情報の読み書きが確実に行われるよう、メモリ側アンテナコイル２３ｂが、リードライト用アンテナコイル３３の近傍に、リードライト用アンテナコイル３３の巻き方向に平行な仮想面と、メモリ側アンテナコイル２３ｂの巻き方向に平行な仮想面と、が略平行に対向する位置に位置しているため、リードライト用アンテナコイル３３の磁界の範囲から非接触式メモリ２３が位置ずれをしたり、非接触式メモリ２３をリードライト用アンテナコイル３３に瞬間的に近づけるなど、非接触式メモリ２３のリードライト用アンテナコイル３３近傍での滞在時間が短かったり、リードライト用アンテナコイル３３に対する非接触式メモリ２３の角度が平行でなかったりすることによる読み取りエラーが発生せず、情報の読み書きが瞬時に行われる。よって、読み取りエラー発生による再度の読み取りを行う必要もなく、無駄な電力を消費することを防止できる。
また、非接触式メモリ２３を、リードライト用アンテナコイル３３に接した状態であれば、非接触式メモリ２３とリードライト用アンテナコイル３３とを、電池パック５０内のどこに内蔵しても、情報の読み書きが良好で、エラー発生も少なく、無駄な電力を消費することがない。
【００６９】
（３）（１）に記載の電気錠システム１において、電気錠６０は、電池パック５０を、電気錠６０に位置決めされた状態で固定する固定手段３５を備えること、を有すること、を特徴とするので、電気錠６０に衝撃や振動等の外力が加わった場合でも、安定した電気錠６０と電池パック５０の接続がなされる。
すなわち、電池パック５０が電池パック装着孔３３５ａに装着され、位置決めされることで、制御部３１は電池２１や、リードライト用アンテナコイル３３に接続されるため、電池パック５０が位置決めされた状態で、固定手段３５により固定されることで、電気錠６０に衝撃や振動等の外力が加わった場合でも、安定して制御部３１への電力供給が行われるとともに、非接触式メモリ２３に記憶された情報の読み取りエラーを防止できる等、非接触式メモリ２３との間で安定して情報の読み書きを行うことが可能である。
【００７０】
（４）（３）に記載の電気錠システム１において、非接触式メモリ２３は、権限情報を記憶すること、電気錠６０は、電気錠６０の制御を行うための制御信号を制御部３１に入力する入力手段４１を備えること、制御部３１は、電池パック５０が電気錠６０に装着され、電池２１から電源供給を受けることで、リードライト用アンテナコイル３３と、メモリ側アンテナコイル２３ｂと、を介して、非接触式メモリ２３から権限情報を読み取り、認証を行い、電気錠６０を施錠するとともに、固定手段３５により電池パック５０の固定を行う電気錠利用開始プログラム３１３ａと、電池パック５０が電気錠６０に装着され、かつ電気錠６０が施錠された状態にある場合であって、入力手段４１により制御部３１に制御信号が入力された場合に、リードライト用アンテナコイル３３と、メモリ側アンテナコイル２３ｂと、を介して、非接触式メモリ２３から権限情報を読み取り、認証を行い、電気錠６０を解錠するとともに、固定手段３５による電池パック５０の固定を解除する電気錠利用停止プログラム３１３ｂと、を有すること、を特徴とするので、第１の実施形態と同様に、荷物輸送中に運転手が電池パック５０の管理を行う必要がなく、電池パック５０を紛失することを防止することができる。
【００７１】
（５）（２）乃至（４）のいずれか１つに記載の電気錠システム１において、電気錠６０は、自己の位置情報を取得する位置情報取得手段３７を備えること、制御部３１は、所定の時間毎に、位置情報取得手段３７により取得した位置情報を、リードライト用アンテナコイル３３と、メモリ側アンテナコイル２３ｂと、を介して非接触式メモリ２３に書き込むこと、を特徴とするので、第１の実施形態と同様に、電池パック５０の管理を行うのみで、簡便な情報管理が可能である。
【００７２】
（６）（２）乃至（５）のいずれか１つに記載の電気錠システム１において、電気錠６０は、雰囲気温度を計測可能な温度センサ３９を備えること、制御部３１は、所定の時間毎に、温度センサ３９により計測した温度情報を、リードライト用アンテナコイル３３と、メモリ側アンテナコイル２３ｂと、を介して非接触式メモリ２３に書き込むこと、を特徴とするので、第１の実施形態と同様に、電池パック５０の管理を行うのみで、簡便な情報管理が可能である。
【００７３】
（７）（２）乃至（６）のいずれか１つに記載の電気錠システム１において、荷物輸送用電気錠システム１は、電池パック５０を装着することで、電池２１を充電可能であるとともに、非接触式メモリ２３との間で情報を読み書き可能である鍵管理装置２００を備えること、を特徴とするので、第１の実施形態と同様に、例えば、鍵管理装置２００をスマートフォンや、パソコン等の電子機器にＵＳＢポートにより接続可能なものとすれば、電池パック５０の電池２１の充電を行いつつ、非接触式メモリ２３に、電気錠６０を施錠または解錠を行うための権限情報を記憶させたり、記憶された履歴情報等を読み出したりすることが可能であり、配送センター等において、電気錠システム１の情報管理が簡便となる。
【００７４】
次に本発明の電気錠システム１の第３の実施形態について、図面を参照しながら詳細に説明する。なお、第１の実施形態および第２の実施形態に係る電気錠システム１と異なる点のみ説明する。
第３の実施形態に係る電気錠システム１は、電気錠９０が、図１０に示すように、配達用ボックスである施錠荷物１００に組み込まれた状態で用いられる。
【００７５】
施錠荷物１００は、有底箱形状の本体１０１は縁に沿って開口部１０１ｂを形成する。本体１０１は、蓋１０２の後部１０２ａにおいて、蝶番部材１０９等により固定され、蓋１０２によって開口部１０１ｂを開閉自在に構成する。蓋１０２の内側には、電気錠９０の施錠時に口述するフック部９１３ａと嵌合する引掛け穴１９２が形成された引掛け部１９０が形成されている。蓋１０２は、開口部１０１ｂの縁に沿って隙間が生じないように密着する。蓋１０２を閉め、開口部１０１ｂの縁に沿って隙間が生じないように閉めると直方体形状となる。なお、施錠荷物１００は、例えばクーラーボックスのように内部温度を低温に保つことができるものとすることも可能である。
【００７６】
施錠荷物１００は、本体１０１のうち正面部１０１ａに、表示手段４３と、入力手段４１と、電池パック８０を装着する電池パック装着孔９０ａと、が設けられた電気錠９０の正面部が露出している。また、正面部１０１ａに任意の手提げ手段１１２を備える。手提げ手段１１２は、正面部１０１ａを一部内側に埋没させて凹部１１３を形成し、この中に取手部１１４が回転自在に取り付けられている。取手部１１４は、施錠荷物１００の保管時には正面部１０１ａから突出しないように凹部１１３内に収納されて、施錠荷物１００を他の部材と干渉させることなく積み重ね自在にする。そして、取手部１１４は、施錠荷物１００の持ち運び時には凹部１１３内から起立して、使用者によって掴持される。なお、このような手提げ手段１１２は、蓋１０２の天面に設けることとしてもよい。
【００７７】
＜電気錠の構成＞
電気錠９０は、施錠荷物１００に後付け可能な面付錠とする。面付錠とすることで、既存の施錠荷物に取り付けることができるため、セキュリティ性を向上させることができる。
電気錠９０の正面部には、図１０に示すように、表示手段４３と、入力手段４１と、電池パックとしての電池パック８０を装着するための電池パック装着孔９０ａと、が形成されている。電池パック装着孔９０ａの内部には、第１端子４７と第２端子４９と、リードライト用アンテナコイル３３を内蔵する読取部３３ａ（図１２参照）と、固定手段３５（図１２参照）とを備えている。電池パック８０が電池パック装着孔９０ａに差し込まれると、電池パック８０は電池パック装着孔９０ａ内で位置決めされ、電池パック８０の第１端子２５，第２端子２７は、電気錠３０の第１端子４７と第２端子４９と確実に接続するとともに、電池パック８０の非接触式メモリ２３が、リードライト用アンテナコイル３３の近傍に、対向する位置に確実に位置される。そして、固定手段３５が、電池パック８０を、電池パック装着孔９０ａ内に、位置決めされた状態で固定する。電池パック８０が、位置決めされた状態で固定されることで、電気錠９０に衝撃や振動等の外力が加わった場合でも、安定して制御部３１への電力供給が行われるとともに、非接触式メモリ２３に記憶された情報の読み取りエラーを防止できる等、非接触式メモリ２３との間で安定して情報の読み書きを行うことが可能である。
【００７８】
電気錠９０のうち正面部以外は、施錠荷物１００の表面には現れておらず、内部に収納されている。図１１に示すように、電気錠９０の背面には、温度センサ３９と、軸９１８（図１２参照）を中心に回転する回転部材９１３が形成されている。
温度センサ３９は、施錠荷物１００の内部に露出されており、施錠荷物１００の内部の温度を計測可能である。例えば、臓器移植に供するための臓器など、施錠荷物１００の内部の温度を低温状態に保たなければならない荷物など、温度管理が配送業者の責任の下で行われる。この場合、施錠荷物１００を、例えばクーラーボックスのように内部温度を低温に保つことができるものとし、送中に施錠荷物１００の内部の温度が低温状態に保たれていたか否かを証明するため、輸送中の温度情報を管理しておく必要がある。そこで、内部が低温状態に保たれた施錠荷物１００の内部に、温度センサ３９が位置するようにしておき、電池パック８０が電気錠９０に装着されることで、電池パック８０の電池２１から電源供給を受けた制御部３１が、リードライト用アンテナコイル３３を介して温度センサ３９により計測した温度情報を、電池パック８０の非接触式メモリ２３に書き込むこととすれば、電気錠システム１の電池残量管理とともに、温度情報の管理を行うことができ、配送センター等において、電気錠システム１を管理するのが簡便である。
【００７９】
回転部材９１３には、蓋１０２に形成された引掛け穴１９２と嵌合可能なフック部９１３ａが形成されている。回転部材９１３が、図１１に示す位置にあるとき、フック部９１３ａが引掛け穴１９２と嵌合し、電気錠９０が施錠されている状態であり、解錠時には、回転部材９１３が半時計回りに９０度回転し、フック部９１３ａと引掛け穴１９２との嵌合が解除される。
【００８０】
図１２に示すように、電気錠９０の内部には、樹脂製のケース９１が装着されている。
ケース９１の内部には、一端に回転部材９１３が結合された軸９１８が回転可能に保持されている。また、ケース９１の中央部には、中空部９１５ｇが形成されており、回転軸９１８を回転させるためのモータ９２１、モータ９２１の回転軸に固設されたモータギア９２０、回転軸９１８に固設され、モータギア９２０と係合している回転軸ギア９１９、回転軸９１８の図中左端部に固設され、検出ノッチ９２２ａが形成された検出板９２２、検出ノッチ９２２ａを検出するためのリミットスイッチである施錠位置検出スイッチ９２３が収納されている。電池パック装着孔９０ａに電池パック８０を装着することで、電池２１により電源供給を受けた制御部３１が、モータ９２１を駆動し、モータギア９２０および回転軸ギア９１９を介して回転軸９１８を回転させ、回転軸９１８に結合された回転部材９１３を施錠位置または解錠位置へ回転させる。すると、検出板９２２の検出ノッチ９２２ａにより、施錠位置検出スイッチ９２３がＯＮとなり、制御部３１は電気錠９０が施錠状態にあることを検出可能となる。
【００８１】
また、ケース９１には、摺動ノッチ９２４により蓋１０２が閉じられていることを確認するためのリミットスイッチである蓋確認スイッチ９２６、が収納されている。蓋１０２が閉じられているか否かを検出するための摺動ノッチ９２４を摺動可能に保持するノッチ摺動穴９１５ｆが形成されており、ノッチ摺動穴９１５ｆには、付勢バネ９２５が付設され、付勢バネ９２５は、摺動ノッチ９２４を図中上方向に付勢している。蓋１０２が閉じられている場合、蓋１０２により摺動ノッチ９２４が図中下方向に押圧されて移動する。すると、摺動ノッチ９２４の下端部により、蓋確認スイッチ９２６がＯＮとなり、蓋１０２が閉じられていることを確認することが可能である。
なお、モータ３２１、施錠位置検出スイッチ３２３、長シャフト確認スイッチ３２６等の配線、及び制御部３１は、図が複雑になるため、図示を省略している。
【００８２】
回路構成は、第１の実施形態と同様である（図１）。ただし、図１における長シャフト確認スイッチ３２６は、蓋確認スイッチ９２６に置き換わる。
なお、本実施形態においては、リードライト用アンテナコイル３３を電気錠９０に内蔵しているが、第２の実施形態と同様に、電池パック８０にリードライト用アンテナコイル３３を内蔵させても良い。電池パック８０にリードライト用アンテナコイル３３を内蔵させる場合には、第２の実施形態と同様の回路構成となる（図２）。ただし、図２における長シャフト確認スイッチ３２６は、蓋確認スイッチ９２６に置き換わる。
【００８３】
＜電気錠システムの動作＞
電気錠利用開始プログラム３１３ａおよび電気錠利用停止プログラム３１３ｂの動作は、図５，図６の通りである。ただし、Ｓ１０においては、蓋１０２の開閉確認が行われ、蓋１０２が閉じられている場合にはＳ１１に進み、閉じられていない場合には、Ｓ１５において、その旨の通知が行われる。
【００８４】
以上説明したように、第３の実施形態の電気錠システム１によれば、
（６）（１）乃至（５）のいずれか１つに記載の電気錠システム１において、電気錠３０は、雰囲気温度を計測可能な温度センサ３９を備えること、制御部３１は、所定の時間毎に、温度センサ３９により計測した温度情報を、リードライト用アンテナコイル３３と、メモリ側アンテナコイル２３ｂと、を介して非接触式メモリ２３に書き込むこと、を特徴とするので、電池パック８０の管理を行うのみで、簡便な情報管理が可能である。
例えば、臓器移植に供するための臓器など、保管温度を一定の温度に保たなければならない荷物など、温度管理が配送業者の責任の下で行われる。この場合、輸送中に温度が一定に保たれていたか否かを証明するため、輸送中の温度情報を管理しておく必要がある。そこで、内部が一定の温度に保たれた施錠荷物１００の内部に、温度センサ３９が位置するようにしておき、電池パック８０が電気錠９０に装着されることで、電池パック８０の電池２１から電源供給を受けた制御部３１が、リードライト用アンテナコイル３３と、メモリ側アンテナコイル２３ｂと、を介して温度センサ３９により計測した温度情報を、電池パック８０の非接触式メモリ２３に書き込むこととすれば、電気錠システム１の電池残量管理とともに、温度情報の管理を行うことができ、配送センター等において、電気錠システム１を管理するのが簡便である。
【００８５】
なお、上記の第１，第２，第３実施形態は単なる例示にすぎず、本発明を何ら限定するものではない。したがって本発明は当然に、その要旨を逸脱しない範囲内で様々な改良、変形が可能である。
例えば、電気錠３０，６０，９０の形態は、上記実施例のような南京錠や面付錠に限られるものではなく、カンヌキ式南京錠や、チェーン錠などにも流用可能である。
【００８６】
そのほか、自転車の後輪部分に取り付けられるリング錠にも、本発明の電気錠システムを適用可能である。この場合、例えば、レンタル用自転車の施錠に用いることが考えられる。
まず、レンタル用自転車を借りる利用者は、レンタル有効期間などの権限情報が書き込まれた非接触メモリを内蔵する電子キー（電池パック）を、運営者から受け取る。レンタル用自転車は電気錠により施錠状態にあり、利用者が運営者から受け取った電子キー（電池パック）を電気錠に装着することで、電気錠の制御部が、リードライト用アンテナコイルと、メモリ側アンテナコイルと、を介して権限情報を読み取る。権限情報が有効であれば、電子キー（電池パック）が電気錠に装着された状態で固定されるとともに、電気錠が解錠され、利用者はレンタル用自転車を利用できるようになる。利用者がレンタル自転車を利用している最中は、電子キー（電池パック）が電気錠に装着された状態であり、制御部が電源供給を受け続けているため、位置情報取得手段により得られる位置情報等を非接触メモリに書き込んだり、無線通信手段により、運営者のサーバに送信したりすることが可能である。利用者がレンタル自転車を返却する場合には、電気錠に設けられた施錠ボタンを押すことで、レンタル自転車が施錠されるとともに、固定手段による電子キー（電池パック）の固定が解除される。利用者はレンタル自転車を返却すると同時に、電子キー（電池パック）を運営者に返却する。運営者は、電子キー（電池パック）を鍵管理装置により、電池の充電や、非接触メモリ２３に書き込まれた情報の管理を行うことができる。
【符号の説明】
【００８７】
１  電気錠システム
２０  電池パック（電子キーの一例）
２１  電池
２３  非接触式メモリ
２３ｂ  メモリ側アンテナコイル
３０  電気錠
３１  制御部
３３  リードライト用アンテナコイル
３３５ａ  電池パック装着孔（装着孔の一例）
【図１】
2020101016.tif 000003
【図２】
2020101016.tif 000004
【図３】
2020101016.tif 000005
【図４】
2020101016.tif 000006
【図５】
2020101016.tif 000007
【図６】
2020101016.tif 000008
【図７】
2020101016.tif 000009
【図８】
2020101016.tif 000010
【図９】
2020101016.tif 000011
【図１０】
2020101016.tif 000012
【図１１】
2020101016.tif 000013
【図１２】
2020101016.tif 000014
【図１３】
2020101016.tif 000015